(57)【要約】      （修正有）【課題】図書文献に対するインテリジェント分類を行うことができ、且つ正確な位置情報を示すことができ、返却効率と正確性を向上できる図書文献インテリジェント分類返却装置を提供する。【解決手段】装置は、車体、車輪及びブックエンドを備える。ブックエンドは硬質の仕切り板と内蔵式ＲＦＩＤアンテナを有し、車体にはコンピュータ、ディスプレイ、位置指示灯制御回路、位置指示灯、直流電源、ＲＦＩＤラベル読取装置、ＲＦＩＤインテリジェントスイッチ及び棚ラベルＲＦＩＤアンテナが設けられる。内蔵式ＲＦＩＤアンテナが図書文献ＲＦＩＤラベルから読取った情報及び棚ラベルＲＦＩＤアンテナが書架ＲＦＩＤラベルから読取った情報は、ＲＦＩＤインテリジェントスイッチ、ＨＦ−ＲＦＩＤを介してコンピュータに伝送され、コンピュータで処理を行った後、ディスプレイ、位置指示灯により作業者に正確に配架をするように示す。【選択図】図１
0003153137.tif 000002
【実用新案登録請求の範囲】
【請求項１】
車体、車輪及び車体に設けられた少なくとも１個のブックエンドを備えた図書文献インテリジェント分類返却装置であって、
前記ブックエンドは、RFIDラベルが設けられた図書文献を仕切るための硬質の仕切り板と、図書文献のRFIDラベルのRFID識別を行うための内蔵式RFIDアンテナとを有し、
前記車体には、さらにコンピュータ、ディスプレイ、位置指示灯制御回路、前記位置指示灯制御回路に接続されている位置指示灯、直流電源、RFIDラベル読取装置、RFIDインテリジェントスイッチ及び書架RFIDラベルのRFID識別を行うための棚ラベルRFIDアンテナが設けられ、
前記コンピュータは、ディスプレイ、位置指示灯制御回路、RFIDラベル読取装置、RFIDインテリジェントスイッチに接続され、
前記RFIDラベル読取装置は前記RFIDインテリジェントスイッチに接続され、
前記RFIDインテリジェントスイッチは、コンピュータによる制御によってブックエンド内蔵式RFIDアンテナまたは棚ラベルRFIDアンテナに接続され、
前記直流電源はコンピュータ、位置指示灯制御回路、RFIDラベル読取装置及びRFIDインテリジェントスイッチに接続されていることを特徴とする図書文献インテリジェント分類返却装置。
【請求項２】
前記ディスプレイが、タッチパネル式ディスプレイであることを特徴とする請求項１に記載の図書文献インテリジェント分類返却装置。
【請求項３】
前記位置指示灯が発光ダイオード指示灯を備え、各ブックエンドに対応して１個または２個の発光ダイオード指示灯が設けられていることを特徴とする請求項１又は請求項２に記載の図書文献インテリジェント分類返却装置。
【請求項４】
前記位置指示灯がさらに書架段番号を表示するデジタル表示管を備えていることを特徴とする請求項３に記載の図書文献インテリジェント分類返却装置。
【請求項５】
前記直流電源が、電池モニタリングシステム、充電器及び充電池を含んで構成されていることを特徴とする請求項１又は請求項２に記載の図書文献インテリジェント分類返却装置。
【考案の詳細な説明】
【技術分野】
【０００１】
本考案は、物品のインテリジェント分類返却装置分野に関し、具体的には、図書文献インテリジェント分類返却装置に関するものである。
【背景技術】
【０００２】
現在、多くの図書館では、所蔵図書文献を書架に返却するには、伝統的な図書移動台車を利用して、人によって並び替え、分類を行った後、コール番号に従って線形的に配架している。ところが、図書館では開放式サービスモデルを大量に採用し、また図書館の所蔵図書文献の流通も増加し続けているため、所蔵図書文献の配架間違い、配架乱れの状況は日に日に深刻になっている。また、線形的なコール番号による作業者の配架は、効率が低く、効果が理想的ではなく、図書文献の書架位置の順序が混乱するため、取り出された図書はしばしば相応の書架位置に正確に置くことができなくなる。また、図書文献が正確に書架に返却されないことにより、コンピュータ情報システムでは探し出せた所蔵図書文献が書架では探し出せず、読者が困惑するということがしばしば生じてしまう。また、人によって頻繁に書架位置とカテゴリを判断、把握する必要があるため、作業者の経験と能力及びその耐えられる労働強度によって必然的に制約を受ける。このため、以上の分類返却において存在する問題点に鑑みて、一部の図書館では、大型の機械分類装置を利用してフロア、カテゴリ別に図書文献に対する分類を行っているが、このような装置の導入は、導入コストが高く、施工における難度が高く、運転中のノイズが大きく、しかもカテゴリ別に分類した後、また人によって返却を行わなければならない。したがって、作業者の書架への返却の作業効率及び読者が所定位置から図書文献を取得する場合の正確性の問題点が完全、総合的に解決されていない。なお、電波による固体識別（Radio Frequency Identification、RFIDと略す）技術、即ちRFID技術は、今のところ図書館の所蔵図書文献の管理と流通サービスにおいては、まだ文献の流通における貸し借り、文献の点検などに限られており、結局、図書は最終的には人によりカテゴリ別の分類及び書架への返却を完成しなければならない。  
【考案の概要】
【考案が解決しようとする課題】
【０００３】
本考案は、図書館の所蔵図書文献の書架への返却において存在する前述の問題点に鑑みてなされたものであり、その目的は、図書文献に対するインテリジェント分類を行うことができ、且つ正確な位置情報を示すことができ、返却効率と正確性を向上できる図書文献インテリジェント分類返却装置を提供することにある。
【課題を解決するための手段】
【０００４】
本考案では、車体、車輪及び車体に設けられた少なくとも１個のブックエンドを備えた図書文献インテリジェント分類返却装置であって、前記ブックエンドは、RFIDラベルが設けられた図書文献を仕切るための硬質の仕切り板と、図書文献のRFIDラベルのRFID識別を行うための内蔵式RFIDアンテナとを有し、前記車体には、さらにコンピュータ、ディスプレイ、位置指示灯制御回路、前記位置指示灯制御回路に接続されている位置指示灯、直流電源、RFIDラベル読取装置、RFIDインテリジェントスイッチ及び書架RFIDラベルのRFID識別を行うための棚ラベルRFIDアンテナが設けられ、前記コンピュータは、ディスプレイ、位置指示灯制御回路、RFIDラベル読取装置、RFIDインテリジェントスイッチに接続され、前記RFIDラベル読取装置は前記RFIDインテリジェントスイッチに接続され、前記RFIDインテリジェントスイッチは、コンピュータによる制御によってブックエンド内蔵式RFIDアンテナまたは棚ラベルRFIDアンテナに接続され、前記直流電源はコンピュータ、位置指示灯制御回路、RFIDラベル読取装置及びRFIDインテリジェントスイッチに接続されていることを特徴とする図書文献インテリジェント分類返却装置によりその目的を実現した。
【０００５】
また、前記ディスプレイは、一般的なタッチパネル式ディスプレイを利用してもよい。また、前記位置指示灯が発光ダイオード指示灯を備え、各ブックエンドに対応して１個または２個の発光ダイオード指示灯が設けられている。また、前記位置指示灯はさらに書架段番号を表示するデジタル表示管を備えていてもよい。
【０００６】
また、前記直流電源は、電池モニタリングシステム、充電器及び充電池を含んで構成された直流電源を利用してもよい。
【考案の効果】
【０００７】
本考案の技術的効果として、本考案は図書文献に対して、車載識別、車上の図書文献の位置決め識別、図書文献の走行ガイド、返却位置への横付け及び配架指示に対する自動的な制御を含むインテリジェント分類返却を実現することができ、作業者はRFIDラベルが設けられた図書文献を便利に、速やかに、正確に、且つ効率よく返却することが可能である。したがって、本考案は配架の正確性と信頼性を改善することができ、作業者の労働強度を大幅に減少することができ、また図書文献の具体的な位置決めと所蔵図書文献のデータベース情報との精確なマッチングを実現することにより、読者が便利、且つ速やかに図書文献を探すことができるようになる。
【図面の簡単な説明】
【０００８】
【図１】本考案に係る実施例の構造の模式図である。
【図２】本考案に係る実施例の回路構造のブロック図である。
【考案を実施するための形態】
【０００９】
図１に示されるように、本実施形態に係る図書文献インテリジェント分類返却装置は、ハンドル９が設けられた車体１０と、車体１０に設けられたｎ個のブックエンド７と、車体１０の下面に設けられた車輪１とを備えており、ブックエンド７はRFIDラベルが設けられた図書文献を置くためのものである。図書文献のRFIDラベルの内容には、図書文献のバーコード、書架の棚ラベル及び段ラベルのアドレスが含まれ、ブックエンド７にはRFIDラベルが設けられた図書文献を仕切るための硬質の仕切り板と、図書文献のRFIDラベルのRFID識別を行うための内蔵式RFIDアンテナとが備えられる。ｎ個ブックエンド７には内蔵式RFIDアンテナがｎ個が対応して設けられている。車体１０にはさらに、コンピュータ２、ディスプレイ８、位置指示灯制御回路、位置指示灯６、直流電源４、RFIDラベル読取装置、RFIDインテリジェントスイッチ３及び棚ラベルRFIDアンテナ５が設けられている。ディスプレイ８はタッチパネル式ディスプレイを利用しているが、一般的なディスプレイを利用してもかまわない。RFIDラベル読取装置はHF-RFID読取ヘッドを利用している。棚ラベルRFIDアンテナ５は車体１０の一つのケースドアに設けられている。棚ラベルRFIDアンテナ５は、書架RFIDラベルのRFID識別を行うためのものであり、書架RFIDラベルの内容には、書架RFID棚ラベル及び段ラベルのアドレスが含まれている。位置指示灯６は、発光ダイオード指示灯であり、各ブックエンド７の硬質仕切り板の外側の面の上に、赤、緑の二つの発光ダイオード指示灯６が設けられている。これらは、該ブックエンド７内の図書文献が配架位置に到達したこと、及び左側の書架であるかそれとも右側の書架であるかを示すものであり、赤発光ダイオードが点灯すると左側の書架であることを表し、緑発光ダイオードが点灯すると右側の書架であることを表す。また、書架の段番号は、タッチパネル式ディスプレイ８により表示される。本考案に係る位置指示灯としては、発光ダイオード指示灯及びデジタル表示管（display tube）を利用することも可能であり、各ブックエンドの硬質仕切り板に、該ブックエンド内の図書文献が既に配架位置に到達したことを示すための発光ダイオード指示灯を一つ設け、作業者が各方向から見ることができるようにするために、車体の上面の四つのコーナーのそれぞれに、書架の段番号を表示するためのデジタル表示管を一つずつ設け、配架位置が左側書架であるかそれとも右側書架であるかは、タッチパネル式ディスプレイで表示する。
【００１０】
図２に示されるように、前記コンピュータ２は、タッチパネル式ディスプレイ８、位置指示灯制御回路、HF-RFID読取ヘッド及びRFIDインテリジェントスイッチ３に接続されている。本実施形態における位置指示灯６は、発光ダイオードであるため、位置指示灯制御回路も本実施形態においてはLED指示灯制御器と称する。LED指示灯制御器は、発光ダイオード指示灯６に接続され、コンピュータ２により発光ダイオード指示灯６の点灯と消灯を制御する。HF-RFID読取ヘッドは、RFIDインテリジェントスイッチ３に接続されている。RFIDインテリジェントスイッチ３は切替回路であり、コンピュータ２により順々に各ブックエンドの内蔵式RFIDアンテナ（即ち、「ブックエンドアンテナ」）に接続され、または棚ラベルRFIDアンテナ（即ち、「棚ラベルアンテナ」）に接続される。ブックエンドの内蔵式RFIDアンテナが図書文献のRFIDラベルから読取った情報または棚ラベルRFIDアンテナが書架RFIDラベルから読取った情報は、RFIDインテリジェントスイッチ３を介してHF-RFID読取ヘッドに伝送され、HF-RFID読取ヘッドはその情報に対し処理を行った後、データをコンピュータ２に伝送する。コンピュータ２には、収集装置などを含む装置を拡大するための予備USBインターフェースがさらに設けられている。直流電源４は、バッテリモニタリングシステム、充電器及び充電池を含んで構成されている。直流電源４は、コンピュータ２、位置指示灯制御回路、RFIDラベル読取装置及びRFIDインテリジェントスイッチに接続されており、これらに直流電源を提供する。バッテリモニタリングシステムは、リアルタイムに充電池の使用情況をモニタリングし、充電池がもうすぐ切れそうになった場合、その切れそうになった電池のLED指示灯が点灯して、作業者に充電池の充電を促すことになる。充電池が一旦使い切られると、充電池の保護のため、速やかに電力消費回路が切断される。なお、電力消費回路の電源を切る前には、データを保存するようにコンピュータ２が制御される。
【００１１】
ブックエンド７は図書文献を載せる機能を持つだけではなく、図書文献のRFIDラベル情報を収集する機能も持っているため、RFIDラベルが設けられた図書文献を正確に読取り、ポジションニングすることに適しており、図書文献をリアルタイムに分類することを実現することができる。また、コンピュータ２によって、図書文献毎のRFIDラベルのバーコード、分類番号などのデータが記憶される。
【００１２】
コンピュータ２は、ネットワークまたは移動媒体を介して図書文献に対応する保管位置データ情報を取得し、更新する。保管位置データ情報には、図書文献が保管された具体的なフロア番号、書庫番号、書架レーン（lane）番号、書架左右方位番号、書架配列番号及び書架の段番号が含まれている。保管位置データ情報は、図書館の作業者によって図書館の図書文献の分布計画に基づき作成され、または、RFID点検装置によって書架上のRFID棚ラベル、段ラベル及び当該書架に保管された図書文献のRFIDラベルを読取ることによりなされる。
【００１３】
図１と図２に示されるように、本考案の動作原理及び使用方法は次のとおりである。作業者は配架しようとする図書文献を任意に各ブックエンド７に載せる。コンピュータ２の制御の下で、RFIDインテリジェントスイッチ３を順々に各ブックエンド内蔵式RFIDアンテナに接続させる。各ブックエンド内蔵式RFIDアンテナが図書文献のRFIDラベルから読取った情報は、RFIDインテリジェントスイッチ３を介してHF-RFIDに伝送され、再びコンピュータ２に伝送され、コンピュータ２で処理が行われた後、タッチパネル式ディスプレイ８に最適な配架ルートマップが表示されることになる。作業者は、最適な配架ルートマップにしたがって車体１０を推しながら歩行する。車体１０が移動する際、RFIDインテリジェットスイッチ３は、棚ラベルRFIDアンテナ５に接続され、棚ラベルRFIDアンテナ５が収集した書架RFIDラベルの棚ラベル、段ラベルアドレス情報はインテリジェットスイッチ３とHF-RFID読取ヘッドとを介してコンピュータ２に伝送される。コンピュータ２ではリアルタイムにサーチが行われ、ブックエンド７中の図書文献のRFIDラベルにおける位置データと比較計算処理が行われることになる。車体がマッチング位置まで移動した時、即ち、図書文献のRFIDラベルと書架RFIDラベルの棚ラベルアドレス、または棚ラベル及び段ラベルアドレスが互いにマッチングした時、車体１０は自動的に横付けされる。対応する図書文献の配架位置画像はタッチパネル式ディスプレイ８により表示され、同時に、その図書文献が載せられたブックエンドの赤または緑LED指示灯６が点灯されることによって、該図書文献が作業者により車体１０から正確に取り出され、且つ正確に対応する書架位置に置かれたことを表すことになる。このように、正確な配架が実現されることになる。なお、載せられる書架の段レベルは、タッチパネル式ディスプレイ８により表示され、左側の書架であるか右側の書架であるかは、赤、緑LED指示灯６によってそれぞれ表示される。タッチパネル式ディスプレイ８は、さらに次に返却される位置情報とルートを示して、作業者が正確に次の操作ができるようにガイドする。
【００１４】
前述の内容は本考案の好ましい実施形態に過ぎず、本考案はこれに限られない。本考案の思想を逸脱しない範囲において、当業者によってなされた均等な置換または明らかな変形は、いずれも本考案の請求項によって確定された保護範囲に属すると見なすべきである。例えば、本考案は倉庫管理分野にも利用することが可能であり、物品にRFIDラベルを設けることが可能である。ここで、「RFIDラベルが設けられた物品」は、本考案における「RFIDラベルが設けられた図書文献」に該当する。
【符号の説明】
【００１５】
１    車輪
２    コンピュータ
３    RFIDインテリジェントスイッチ
４    直流電源
５    棚ラベルRFIDアンテナ
６    位置指示灯
７    ブックエンド
８    ディスプレイ
９    ハンドル
１０  車体
【図１】
0003153137.tif 000003
【図２】
0003153137.tif 000004